(57)【要約】【課題】  透過光を用いた紙幣識別の信頼性を高め、透過光の特性を利用して紙幣識別を効果的に行うことができる紙幣識別装置を提供する。【解決手段】  紙幣１６の搬送手段２０と、紙幣１６に光を照射する光源３６および紙幣の透過光を受光する受光部３８を有する検出部３４と、前記搬送手段により紙幣１６を搬送する際に、前記検出部で検出された透過光の出力パターンを標準出力パターンと比較して紙幣を識別する判定部とを備えた紙幣識別装置において、前記検出部３４での出力の上限値が、当該検出部３４の最大出力レベル以下となるように検出部３４を制御する制御部を備えていることを特徴とする。【選択図】          図１
2005208907.tif 000002
【特許請求の範囲】
【請求項１】
紙幣の搬送手段と、
紙幣に光を照射する光源および紙幣の透過光を受光する受光部を有する検出部と、
前記搬送手段により紙幣を搬送する際に、前記検出部で検出された透過光の出力パターンを標準出力パターンと比較して紙幣を識別する判定部とを備えた紙幣識別装置において、
前記検出部での出力の上限値が、当該検出部の最大出力レベル以下となるように検出部を制御する制御部を備えていることを特徴とする紙幣識別装置。
【請求項２】
前記制御部は、前記検出部の出力の上限値を、当該検出部の最大出力レベルの７５％〜９０％の範囲内において設定し、この設定値を基準レベルとして記憶部に記憶するとともに、
前記光源の光量を、前記検出部の出力の上限値が前記基準レベルに一致するように制御することを特徴とする請求項１記載の紙幣識別装置。
【請求項３】
前記制御部は、前記検出部の出力の上限値を、当該検出部の最大出力レベルの７５％〜９０％の範囲内において設定し、この設定値を基準レベルとして記憶部に記憶するとともに、前記検出部のゲインを、前記検出部の出力の上限値が前記基準レベルに一致するように制御することを特徴とする請求項１記載の紙幣識別装置。
【請求項４】
前記検出部の光源と受光部とは、紙幣を挟む一方側と他方側にそれぞれ配置され、
前記他方側で、受光部への透過光の入射側にスリット板が設けられていることを特徴とする請求項１記載の紙幣識別装置。
【請求項５】
前記スリット板は、紙幣の内部あるいは外面に配されている遮光物の、紙幣の送り方向の長さよりも幅狭のスリットが設けられているものであることを特徴とする請求項４記載の紙幣識別装置。
【発明の詳細な説明】
【技術分野】
【０００１】
本発明は紙幣識別装置に関し、より詳細には紙幣からの透過光を解析して紙幣を識別する機能を備えた紙幣識別装置に関する。
【背景技術】
【０００２】
紙幣識別装置には、紙幣に光を照射して紙幣からの反射光あるいは紙幣の透過光を検知して光学的に紙幣を識別する装置がある。この紙幣識別装置においては反射光は主に紙幣の印刷パターンの検知に用いられ、透過光は主にすかしの検知に用いられる。
特許文献１には、このような光学的方法によって紙幣を識別する紙幣識別装置として、紙幣の搬送機構と、紙幣を搬送している際に紙幣に光を照射する光源および紙幣からの反射光を受光する受光部を有する検出部と、検出部で検出された反射光の出力パターンを標準出力パターンと比較して紙幣を識別する判定部とを備えた装置が記載されている。
【０００３】
この紙幣識別装置は、装置に内蔵させた参照反射板からの反射光を受光部で受光し、この参照反射板からの反射光の電気信号のレベルが基準レベルになるように、光量あるいは検出部のゲインを調節することによって、光源や検出部の特性に経時変化や外部環境の変化による変動が生じた場合でも、出力パターンのレベルを一定とし、標準出力パターンとの比較を正確に行えるようにして、信頼性の高い紙幣識別を可能にしたものである。
【特許文献１】特開２００１−２０９８３９号公報
【発明の開示】
【発明が解決しようとする課題】
【０００４】
ところで、紙幣識別装置では上述したように紙幣からの反射光と紙幣の透過光を検知して紙幣を識別するから、紙幣を透過した光を受光して紙幣を識別する場合にも、反射光を検知する場合と同様な制御が必要になる。すなわち、紙幣の透過光を検知する場合でも、紙幣に照射する光源の光量が変動したり、透過光を受光する受光部の特性が変動したりすると検出部の出力レベルが変わるから、出力レベルが一定しない条件下で標準出力パターンと検知した出力パターンとを比較して紙幣を識別したのでは識別装置の信頼性を低下させることになる。
【０００５】
また、紙幣の透過光を紙幣の識別のために利用する場合に、透過光は反射光にくらべて光が散乱しやすく、したがって、単に紙幣に光を照射して透過光を受光するという方法では、被検査体である紙幣の情報を的確に得ることが難しいという問題がある。
一方、紙幣の内部に金属等の遮光物が漉き込まれているような場合には、反射光を使用するのでは遮光物を検知することが困難であるのに対して、透過光であれば容易に遮光物を検知できるといったように、特定の紙幣については透過光を利用することによって、透過光に特有の情報を得ることが可能である。
【０００６】
本発明は紙幣の識別に透過光を利用する場合に、透過光を用いた紙幣識別の信頼性を高め、同時に透過光の特性を利用して紙幣識別を効果的に行うことができる紙幣識別装置を提供することを目的とするものである。
【課題を解決するための手段】
【０００７】
上記目的を達成するため、本発明は次の構成を備える。
すなわち、紙幣の搬送手段と、紙幣に光を照射する光源および紙幣の透過光を受光する受光部を有する検出部と、前記搬送手段により紙幣を搬送する際に、前記検出部で検出された透過光の出力パターンを標準出力パターンと比較して紙幣を識別する判定部とを備えた紙幣識別装置において、前記検出部での出力の上限値が、当該検出部の最大出力レベル以下となるように検出部を制御する制御部を備えていることを特徴とする。
また、前記制御部は、前記検出部の出力の上限値を、当該検出部の最大出力レベルの７５％〜９０％の範囲内において設定し、この設定値を基準レベルとして記憶部に記憶するとともに、前記光源の光量を、前記検出部の出力の上限値が前記基準レベルに一致するように制御することを特徴とする。
また、前記制御部は、前記検出部の出力の上限値を、当該検出部の最大出力レベルの７５％〜９０％の範囲内において設定し、この設定値を基準レベルとして記憶部に記憶するとともに、前記検出部のゲインを、前記検出部の出力の上限値が前記基準レベルに一致するように制御することを特徴とする。
このように、検出部の基準レベルを検出部の最大出力レベルの７５％〜９０％の範囲内において設定することにより、光源の光量が変動したり、検出部のゲインが変動した場合でも、余裕をもって出力パターンを検知することが可能となり、正確な紙幣の識別を行うことが可能となる。
【０００８】
また、前記検出部の光源と受光部とは、紙幣を挟む一方側と他方側にそれぞれ配置され、前記他方側で、受光部への透過光の入射側にスリット板が設けられていることを特徴とする。スリット板に設けられたスリットを経由して透過光を検知することにより、紙幣の識別をより精度よく行うことが可能となる。
また、前記スリット板は、紙幣の内部あるいは外面に配されている遮光物の、紙幣の送り方向の長さよりも幅狭のスリットが設けられているものであることを特徴とする。これによって、紙幣に配されている遮光物を正確に検知することが可能となり、紙幣の識別をより正確に行うことができる。
【発明の効果】
【０００９】
本発明に係る紙幣識別装置によれば、紙幣を透過した透過光を紙幣の識別に利用する際に、紙幣を光で走査した際に得られる出力パターンを正確に検知することができ、これによって高精度で信頼性の高い紙幣識別が可能になる。
【発明を実施するための最良の形態】
【００１０】
以下、本発明の好適な実施の形態について、添付図面にしたがって詳細に説明する。
（紙幣識別装置の構成）
図１は紙幣識別装置１０の構成例を示す説明図である。箱状に形成された装置本体１２には、装置本体１２の側面に設けられた投入口１４から投入された紙幣１６を搬送路Ａに沿って、装置本体１２の内部に設けられたストッカ１８にまで搬送する搬送機構２０が設けられている。
【００１１】
搬送機構２０は、投入口１４側に配置された第１プーリ２４と、装置本体１２の奥側に配置された第２プーリ２６との間に送りベルト２２が平行に２列に掛け渡されて設けられている。搬送機構２０の搬送作用は、第２プーリ２６が電動モータにより回転駆動されることによってなされる。
第１プーリ２４と第２プーリ２６との間には、受ローラ２８が回動自在に設けられている。第１プーリ２４と受ローラ２８には、押圧ローラ３０ａ、３０ｂがそれぞれ対向して設けられ、押圧ローラ３０ａと第１プーリ２４との間、押圧ローラ３０ｂと受ローラ２８との間で、送りベルト２２が挟圧される、
【００１２】
３２は第２プーリ２６の装置本体１２の奥側に、紙幣１６を通過させる隙間をあけて断面半円弧状に形成された反転ガイド３２である。
ストッカ１８は、紙幣識別装置１０内に送り込まれた紙幣１６を収納するためのものである。本実施形態では、ストッカ１８は送りベルト２２の下方で、装置本体１２の底部側に配置されている。
【００１３】
検出部３４は、搬送路Ａに沿って搬送される紙幣１６に光を照射する光源３６と紙幣１６を透過した光を受光する受光部３８と、受光部３８の入射側に配置されるスリット板４２とからなる。光源３６と受光部３８とは紙幣１６を挟む配置で搬送路Ａの一方側と他方側にそれぞれ配置される。本実施形態においては、紙幣１６の搬送路Ａの上側に光源３６が配置され、搬送路Ａの下側にスリット板４２と受光部３８が配置されている。
【００１４】
図２に、送りベルト２２（搬送路Ａ）を挟んで光源３６と、受光部３８およびスリット板４２とを配置した状態を拡大して示す。光源３６からは送りベルト２２に支持されて搬送される紙幣１６に向けて光が照射され、紙幣１６を透過した透過光のうち、スリット板４２に設けられたスリット４２ａを通過した光が受光部３８によって受光される。
【００１５】
図３は紙幣１６と、スリット板４２と光源３６の平面配置を示す。スリット４２ａは紙幣１６の搬送方向とスリットの長手方向とが直角に交差する配置で、紙幣１６を幅方向に横切るように配置されている。１７は紙幣１６の内部に配置されている遮光物である。スリット４２ａの幅は、この遮光物１７の送り方向の長さよりも狭く設定されている。本実施形態でのスリット幅は０．２ｍｍであるが、スリット板４２に設けるスリット４２ａの幅および長さ等は、検知対象である紙幣１６に応じて適宜設定可能である。
【００１６】
図４は、検出部３４の電気的構成を示すブロック図である。光源３６は、発光ダイオード３６ａと、発光ダイオード３６ａに電流を流すための駆動部としてのトランジスタ３６ｂとから構成される。この構成により、トランジスタ３６ｂに供給されるベース電流を制御することにより、トランジスタ３６ｂのコレクタ側に流れる電流、すなわち発光ダイオード３６ａに流れる電流を制御することができ、発光ダイオード３６ａの光量が制御できる。なお、トランジスタ３６ｂに代えてＦＥＴ等の半導体素子を使用することも可能である。
【００１７】
受光部３８は、フォトセンサ３８ａと、フォトセンサ３８ａから出力される電気信号を増幅し、電気信号のレベルを後段のＡ／Ｄ（アナログ／ディジタル）変換器の入力電圧範囲に合わせる第１アンプ３８ｂと、第１アンプ３８ｂから入力されたアナログ信号としての電気信号を、ディジタルデータに変換し、バス４０に出力するＡ／Ｄ変換器３８ｃとから構成される。
【００１８】
調節部４４は、光源３６の光量が一定となるように調節する機能を有するものである。本実施形態では、バス４０からのディジタルデータを受けて、データの内容に応じたレベルのアナログ信号を出力するＤ／Ａ（ディジタル／アナログ）変換器４４ａと、Ｄ／Ａ変換器４４ａが出力するアナログ信号を、トランジスタ３６ｂが駆動できるように増幅する第２アンプ（若しくはバッファ）４４ｂとから構成されている。
【００１９】
ＣＰＵ４６は、予め記憶部４８に記憶されたプログラムに従って動作し、紙幣識別装置１０全体を統括制御する制御部として機能する。具体的には、バス４０を介して前述の調節部４４、検出部３４および搬送機構２０を制御し、記憶部４８に対してデータの読み書きを行う。またＣＰＵ４６は、バス４０を介して検出部３４が検出した出力パターンを読み取り、予め測定されて記憶部４８に記憶された標準出力パターンと比較することで紙幣１６を識別する判定部として機能する。
なお、制御部と判定部を、別々の回路要素によって構成することも可能である。図１では、上記構成の調節部４４とＣＰＵ４６と記憶部４８とを合わせて制御ユニットとして表示している。
【００２０】
（標準出力パターンと検出部の調節）
検出部３４が検出した出力パターンと比較する標準出力パターンは、識別対象とする紙幣についてあらかじめ測定して記憶部４８に記憶されるが、この標準出力パターンを決定する操作は、検出部３４における光源３６の光量あるいは受光部３８の感度、いいかえれば検出部３４から出力される出力レベルを所定の基準レベルに設定した状態で行う。したがって、標準出力パターンと検出部３４が検出した出力パターンとを比較する際においても、検出部３４の出力レベルを所定の基準レベルに設定した状態で比較することが高精度の紙幣識別を行う上で必要となる。
検出部３４の出力レベルは、特性の経時変化や外部環境が変化することによって変動することがあり、そのような場合に、出力レベルが基準レベルから逸脱した状態のまま動作させると、正確な比較ができず、誤った識別を行う可能性が増大する。
【００２１】
検出部３４の出力レベルを所定の基準レベルに調節するには、搬送路Ａに紙幣１６を送入していない状態で、まず光源３６を点灯させ、受光部３８で光源３６からの直接光を受光し、受光部３８から出力される電気信号のレベルをあらかじめ決められたレベル（基準レベル）になるように調節すればよい。受光部３８の出力レベルを調節する方法としては、光源３６の光量を調節する方法と、受光部３８のゲイン（増幅度）を調節する方法がある。
ここで、受光部３８からの出力レベルを基準レベルに調節するという意味は、具体的にはフォトセンサ３８ａから第１アンプ３８ｂに入力され、第１アンプ３８ｂで増幅されてＡ／Ｄ変換器３８ｃに入力される入力信号のレベルを、Ａ／Ｄ変換器３８ｃの最大入力電圧を超えないように設定することである。
【００２２】
図６は、検出部３４での出力レベルと紙幣１６上で光を走査して得られた透過光のパターンを説明的に示したものである。Ａ／Ｄ変換器３８ｃから出力される出力レベルの最大値を１００とした場合、図６は、検出部３４の出力レベルが８０となるように光源３６あるいは受光部３８を調節した場合を示す。光源３６あるいは受光部３８を調節する場合に、検出部３４での出力レベルが１００未満とするのは、検出部３４での出力が飽和しないようにするためであるが、本実施形態の場合に、検出部３４での出力レベルの上限を検出部３４の最大出力の８０％に設定しているのは、光源３６および受光部３８の特性が変動した際に余裕をもって対処することができるようにするためである。
【００２３】
図７は、仮想的に光源の光量が増大し、Ａ／Ｄ変換器３８ｃへの入力信号の出力レベルが入力最大電圧を超えて大きくなり、Ａ／Ｄ変換器３８ｃの出力が飽和した状態を説明的に示している。このように、Ａ／Ｄ変換器３８ｃの出力値が飽和するようなことが起こりうる条件で光源３６あるいは受光部３８を調節した場合には、正規の出力パターンを得ることができず、この場合には的確に紙幣を識別することが不可能になる。
【００２４】
本実施形態の紙幣識別装置は、上記のように、検出部３４の出力レベルが検出部３４の最大出力を超えないように光源３６あるいは受光部３８を調節し、さらには、光源３６や受光部３８の特性が変化した場合でも確実な紙幣の識別を可能にするため、検出部３４の出力レベルが検出部３４の最大出力の８０％程度に設定したものである。
なお、検出部３４の出力レベルを設定する場合には、通常、検出部３４の最大出力の７５％〜９０％程度の範囲となるように光源３６の光量あるいは受光部３８のゲインを調節するのがよい。
【００２５】
標準出力パターンを決定する際は、光源３６および受光部３８を上記のようにして調節した後、紙幣を何枚も搬送路Ａに送入し、各々の出力パターンを検出し、これらの出力パターンを統計的に処理して決定する。たとえば、平均的な出力パターンと、出力パターンのばらつき等を考慮して良と判定する規格範囲とを合わせた全体を標準出力パターンとする。
【００２６】
（検出部の自動調節）
上述したように、紙幣識別装置では正確に紙幣を識別できるようにするため、あらかじめ検出部３４の出力レベルを基準レベルに調節しておくことがきわめて重要である。実施形態の紙幣識別装置では、光源３６や受光部３８の特性が経時的に、または外部環境の変化によって変動することがあり得ることから、このような場合でも自動的に検出部３４の出力レベルが基準レベルに補正されるように制御される。
以下では、紙幣識別装置１０の検出部３４の自動調節方法について説明する。
【００２７】
検出部３４の出力レベルを調節する方法としては、光源３６の光量を調節して行う方法と、受光部３８のゲインを調節して行う方法がある。はじめに、光源３６の光量を調節して検出部３４の出力レベルを調節する方法について、図８とともに説明する。
まず、搬送路Ａ上に紙幣が送入されていない状態で光源３６を発光させる（ステップ１００）。実際には、制御部が調節部４４のＤ／Ａ変換器４４ａに所定のデータを与え、このデータに対応するアナログ信号がＤ／Ａ変換器４４ａから出力され、第２アンプ４４ｂで増幅され、増幅されたアナログ信号がトランジスタ３６ｂに入力され、トランジスタ３６ｂが動作して発光ダイオード３６ａに電流が流れ、発光ダイオード３６ａが、Ｄ／Ａ変換器４４ａに入力された所定のデータの量に応じた光量で発光する。
【００２８】
発光ダイオード３６ａから出射された光はフォトセンサ３８ａで受光され、フォトセンサ３８ａからの電気信号（アナログ信号）が第１アンプ３８ｂで増幅され、Ａ／Ｄ変換器３８ｃに入力される。制御部では受光部３８が出力する電気信号のレベル（具体的にはＡ／Ｄ変換器３８ｃから出力されるディジタルデータ）を検出しつつ（ステップ１０２）、検出したこの電気信号のレベルが前述した基準レベルと一致しているか（具体的にはＡ／Ｄ変換器３８ｃの最大出力の８０％出力となっているか否か）を判断する（ステップ１０６）。
【００２９】
そして、制御部は、Ａ／Ｄ変換器３８ｃからのデータが基準レベルに達していない場合には、Ｄ／Ａ変換器４４ａに入力するデータを増やし、基準レベルを超えている場合にはＤ／Ａ変換器４４ａに入力するデータを減らし（ステップ１０６）、光源３６の光量を調節する。
制御部では、ステップ１０２〜ステップ１０６を繰り返し、ステップ１０４において、Ａ／Ｄ変換器３８ｃからのデータが基準レベルになったところで、Ｄ／Ａ変換器４４ａに入力するデータを固定する。
次いで、制御部では、この状態でのＡ／Ｄ変換器３８ｃからのデータを、バス４０を介して取り込み、基準レベルとして記憶部４８に記憶する（ステップ１０８）。こうして、光源３６の光量を基準レベルに調節することができる。
【００３０】
次に、検出部３４の出力レベルを受光部３８のゲインを調節して行う方法について説明する。
この場合には、図５に示すように、検出部３４の第１アンプ３８ｂをゲイン調整可能に設け、調節部４４の第２アンプ４４ｂの出力に基づいて第１アンプ３８ｂのゲインを調節可能とする。
調節時には、まず、検出部３４のゲイン（具体的には第１アンプ３８ｂのゲイン）のチェックを行う。すなわちＡ／Ｄ変換器３８ｃからの出力データが基準レベルに一致していない場合には、制御部により第１アンプ３８ｂのゲインを修正すればよい。
【００３１】
ゲイン調整の場合の制御フローは、図８に示すフロー図で、ステップ１０６における「光源の光量調節」にかえて「検出部のゲイン調節」とする。なお、「検出部のゲイン調節」という概念には、第１アンプ３８ｂのゲインを調節する以外に、たとえば検出部３４のＡ／Ｄ変換器３８ｃから出力されたディジタルデータを直接加工して補正するといった方法も含まれる。この場合には、調節部はＣＰＵ４６が兼ねることになる。
【００３２】
こうして、紙幣識別装置の検出部３４は、光源３６の光量を調節する方法、あるいは受光部３８のゲインを調節する方法によって、自動的に調節することができ、光源３６や受光部３８の特性が経時的に変化したり、外部環境の変化によって変動した場合でも、その変動を補正して、検出部３４の出力レベルが常に一定の基準レベルに一致するように調節される。これによって、検出部３４が常に一定の条件で紙幣を識別することを可能にし、安定した信頼性の高い紙幣識別を行うことが可能となる。
【００３３】
（紙幣識別装置の動作）
次に、本実施形態の紙幣識別装置１０の識別動作を、図９とともに説明する。
まず、電源が投入されると、制御部が各構成要素の初期化を行う。また、紙幣１６が投入されていない状態において、光源３６を点灯し、検出部３４のＡ／Ｄ変換器３８ｃからの出力されるデータをチェックし、このデータが正常かどうか、すなわちこのデータが予め記憶部４８に記憶されている基準レベルと一致しているか否かを調べる（ステップ２００）。そして、異なる場合には、制御部は、Ｄ／Ａ変換器４４ａに入力するデータを増減することで、光源３６の光量を調節する（ステップ２０２）。そして、ステップ２００〜ステップ２０２を繰り返し、Ａ／Ｄ変換器３８ｃの出力データを基準レベルに一致させる。なお、光源３６の光量を調節するかわりに、検出部３４のゲインを調節する方法によることももちろん可能である。
【００３４】
そして、ステップ２００においてＡ／Ｄ変換器３８ｃの出力データが基準レベルになったら、制御部は紙幣１６が投入口１４に投入されるのを待つ（ステップ２０４）。また、本実施の形態では、紙幣１６の投入を待っている状態でも、ステップ２００に戻り、待機している間に光源３６の光量が変動した場合にはＡ／Ｄ変換器３８ｃの出力データを検出して、Ｄ／Ａ変換器４４ａに入力するデータを増減し、Ａ／Ｄ変換器３８ｃの出力データが基準レベルになるように調節する。なお、このステップ２０４におけるＡ／Ｄ変換器３８ｃの出力データのチェックは、光源３６の光量が変動しにくい場合には省くことも可能である。
【００３５】
次に、紙幣１６が投入口１４内に送入されると、制御部は紙幣の投入を検出して搬送機構２０を作動させ、投入口１４に送入された紙幣１６を装置本体１２の内部に搬送するとともに、検出部３４を紙幣１６が通過する際に光が紙幣１６に照射されて、紙幣１６に固有の出力パターンが採取され、記憶部４８に記憶される（ステップ２０６）。
制御部は、走査が完了した時点、すなわち紙幣１６の搬送方向の後端側（投入口１４方向の端部）が検出部３４による検出位置（光の照射位置）を横切った後、紙幣を一旦停止させる。次に、ＣＰＵ４６は判定部として動作し、ステップ２０６で取り込んだ出力パターンと記憶部４８に記憶してある標準出力パターンとを比較し、紙幣１６の識別を行う（ステップ２０８）。
【００３６】
そして識別の結果、紙幣１６からの出力パターンが標準出力パターンと相違する場合には、投入された紙幣１６は偽造（不合格）であると判断し、ステップ２１０の返却ルーチンを実行する。具体的には、この返却ルーチンでは、制御部は搬送機構２０を作動させて紙幣１６を投入口１４側へ搬送し、投入口１４から排出する。
一方、ステップ２０８において、紙幣１６からの出力パターンが標準出力パターンと同じになり、検査された紙幣１６が本物（合格）であると判断した場合には、ステップ２１２の採用ルーチンを実行する。具体的には、この採用ルーチンでは制御部は搬送機構２０を制御し、紙幣１６をさらに装置本体１２の奥方向へ搬送し、最終的にストッカ１８内に収容する。
【００３７】
実際の紙幣識別装置では、上述した透過光を利用した識別と、紙幣から反射されてくる反射光による識別を併用して紙幣を識別する。反射光を利用して紙幣を識別する場合も、上述した透過光を使用する場合と同様に、光源の光量を調節したり、受光部のゲインを調節することが信頼性の高い紙幣識別を行う上で重要な制御となる。
本実施形態の紙幣識別装置では、図１、２に示すようにスリット板４２を設けて透過光による出力パターンを検知するようにしている。透過光を利用する場合に、スリット板４２のスリット４２ａを通過する透過光を検知する方法は、紙幣１６の情報を微細に取り込むことを可能とし、精度のよい紙幣の識別を可能にするという利点がある。
【００３８】
とくに図２、３に示すように、紙幣１６の内部に金属片等の遮光物１７が漉き込まれているような場合には、遮光物１７が配置されている位置をスリット４２ａが通過する際には光が遮られることになり、透過光の出力パターンから遮光物１７の位置を検出することが可能となる。スリット４２ａを遮光物１７の幅寸法よりも狭く設定しておくことで、遮光物１７の位置を正確に検出することができ、その位置から紙幣を識別する重要な情報となり得る。すなわち、このような遮光物１７が設けられている特定の紙幣については、反射光や他の出力パターンの情報と合わせて利用することで紙幣の識別能力をさらに高めることが可能になる。
【図面の簡単な説明】
【００３９】
【図１】本発明に係る紙幣識別装置の一実施形態の構成を示す説明図である。
【図２】光源と受光部およびスリット板の配置を示す説明図である。
【図３】紙幣とスリット板の平面配置を示す説明図である。
【図４】検出部の電気的構成を示すブロック図である。
【図５】検出部の他の電気的構成を示すブロック図である。
【図６】検出部の出力レベルを示すグラフである。
【図７】検出部の出力レベルを示すグラフである。
【図８】検出部の出力レベルを自動調節する方法を示すフロー図である。
【図９】紙幣識別装置の動作を示すフロー図である。
【符号の説明】
【００４０】
１０  紙幣識別装置
１２  装置本体
１４  投入口
１６  紙幣
１７  遮光物
１８  ストッカ
２０  搬送機構
２２  送りベルト
２８  受ローラ
３０ａ、３０ｂ  押圧ローラ
３２  反転ガイド
３４  検出部
３６  光源
３６ａ  発光ダイオード
３６ｂ  トランジスタ
３８  受光部
３８ａ  フォトセンサ
４０  バス
４２  スリット板
４２ａ  スリット
４４  調節部
４８  記憶部
【図１】
2005208907.tif 000003
【図２】
2005208907.tif 000004
【図３】
2005208907.tif 000005
【図４】
2005208907.tif 000006
【図５】
2005208907.tif 000007
【図６】
2005208907.tif 000008
【図７】
2005208907.tif 000009
【図８】
2005208907.tif 000010
【図９】
2005208907.tif 000011
【手続補正書】
【提出日】平成16年1月28日(2004.1.28)
【手続補正１】
【補正対象書類名】図面
【補正対象項目名】図６
【補正方法】変更
【補正の内容】
【図６】
2005208907.tif 000012
【手続補正２】
【補正対象書類名】図面
【補正対象項目名】図７
【補正方法】変更
【補正の内容】
【図７】
2005208907.tif 000013